(57)【要約】【課題】異材質部品を保持した保持部を周囲部から容易に分断することができる成形品を提供する。【解決手段】下カバー１は、板状の主板部２と、該主板部２に設けられた、略円筒形状のボス部４と、該ボス部４中に埋設されたナット５等を有している。下カバー１のうちナット５は金属製であり、それ以外の部分は合成樹脂性である。主板部２には、ボス部４を取り巻く略円弧状のスリット６が設けられると共に、このスリット６を横切って該ボス部４と主板部２とを連結するブリッジ部７が設けられている。下カバー１の合成樹脂をリサイクルする場合には、ボス部４に対し傾転方向に力を加えてブリッジ部７を破断させることにより、ボス部４を主板部２から分離することができる。【選択図】図６
2010214870.tif 000002
【特許請求の範囲】
【請求項１】
異材質部品を保持した成形品であって、
該異材質部品を保持した保持部をその周囲の周囲部から分離可能とした成形品において、
該周囲部に、該保持部を囲むスリットが設けられ、
該スリットを横断し、該周囲部と保持部とを連結するブリッジ部が設けられており、
該ブリッジ部を分断することにより該保持部が該周囲部から分離されるように構成したことを特徴とする成形品。
【請求項２】
請求項１において、前記保持部はボス部であり、前記周囲部は板状部であり、
前記スリットとして、該ボス部を取り巻く円弧形のスリットが設けられ、
前記ブリッジ部が、該ボス部を挟んで該ボス部の直径方向の両側に設けられていることを特徴とする成形品。
【請求項３】
請求項２において、前記板状部の厚みよりも前記ブリッジ部の厚みが大きいことを特徴とする成形品。
【発明の詳細な説明】
【技術分野】
【０００１】
本発明は、例えばインサートナットを備えた樹脂成形品などのように、異材質部品を分離し、樹脂部分を再生処理して新たな部品として利用できる成形品に関する。
【背景技術】
【０００２】
従来、樹脂製の成形部品は、その材質ごとに分別して回収し、リサイクル成形品として再利用しているが、この樹脂製の成形部品の中に異材質の例えば金属製部品を埋め込んで保持したものは、その金属製部品をいちいち取り除くことが面倒である。
【０００３】
特開平１０−２１１４８５には、金属製ナットをインサートしたボス部を有する樹脂成形品において、ボス部の高さ方向の中間付近に溝を周設し、リサイクル時には該溝部分からボス部を先端側と基端側とに分断し、ナットを含んだボス部先端側をボス部基端側及びそれに連なる樹脂成形品部分から分離するよう構成したリサイクル成形品が記載されている。
【先行技術文献】
【特許文献】
【０００４】
【特許文献１】特開平１０−２１１４８５
【発明の概要】
【発明が解決しようとする課題】
【０００５】
上記特開平１０−２１１４８５にあっては、ボス部を分断する場合、ボス部の基端側を工具で固定保持しておかないと、溝に曲げ応力を集中させることができず、ボス部を分断するのに手間がかかる。
【０００６】
また、ナットがボス部の基端側に達するように長いときには、溝を設けてもボス部を切断することができない。
【０００７】
本発明は、上記従来の問題点を解消し、異材質部品を保持した保持部を周囲部から容易に分断することができる成形品を提供することを目的とする。
【課題を解決するための手段】
【０００８】
本発明（請求項１）の成形品は、異材質部品を保持した成形品であって、該異材質部品を保持した保持部をその周囲の周囲部から分離可能とした成形品において、該周囲部に、該保持部を囲むスリットが設けられ、該スリットを横断し、該周囲部と保持部とを連結するブリッジ部が設けられており、該ブリッジ部を分断することにより、該保持部が該周囲部から分離されるように構成したことを特徴とするものである。
【０００９】
請求項２の成形品は、請求項１において、前記保持部はボス部であり、前記周囲部は板状部であり、前記スリットとして、該ボス部を取り巻く円弧形のスリットが設けられ、前記ブリッジ部が、該ボス部を挟んで該ボス部の直径方向の両側に設けられていることを特徴とするものである。
【００１０】
請求項３の成形品は、請求項２において、前記板状部の厚みよりも前記ブリッジ部の厚みが大きいことを特徴とするものである。
【発明の効果】
【００１１】
本発明の成形品にあっては、保持部を囲むようにスリットが設けられており、このスリットを横断するようにブリッジ部が設けられている。この保持部に傾転方向に力を加えてブリッジ部を分断させることにより、保持部を周囲部から分離することができる。
【００１２】
特に、請求項２のように構成した場合には、保持部としてのボス部を傾転させると、ブリッジ部に応力が集中してブリッジ部が容易に破断する。そのため、保持部としてのボス部を容易に分離することができる。また、ナットなどがボス部の基端側にまで延在していても、ボス部を周囲部としての板状部から容易に分離することができる。
【００１３】
請求項３の成形品にあっては、ブリッジ部の厚みを周囲部としての板状部の厚みよりも大きくしているので、ボス部と板状部との連結強度が高い。従って、ボス部及びブリッジ部を介して相手方部材を成形品の板状部に対ししっかりと連結することができる。
【図面の簡単な説明】
【００１４】
【図１】実施の形態に係る成形品としての下カバーの斜視図である。
【図２】図１の下カバーの平面図である。
【図３】図２のIII−III線に沿う断面図である。
【図４】図２のIV−IV線に沿う断面図である。
【図５】図２のＶ−Ｖ線に沿う断面図である。
【図６】図１の下カバーの保持部としてのボス部をその周囲の板状部としての主板部から分離したときの斜視図である。
【図７】図１の下カバーに装着される上カバーの斜視図である。
【図８】上カバーを下カバーに装着した状態を示す、第５図と同様部分の断面図である。
【図９】上カバーを下カバーに装着した状態を示す、図７のIX−IX線に沿う部分の断面図である。
【発明を実施するための形態】
【００１５】
以下に、図面を参照して本発明の実施の形態について説明する。
【００１６】
第１図は、実施の形態に係る成形品としての下カバーの斜視図である。第２図はこの下カバーの平面図である。第３図は第２図のIII−III線に沿う断面図である。第４図は第２図のIV−IV線に沿う断面図である。第５図は第２図のＶ−Ｖ線に沿う断面図である。第６図は、この下カバーの保持部としてのボス部をその周囲の板状部としての主板部から分離したときの斜視図である。第７図は、この下カバーに装着される上カバーの斜視図である。第８図は、この上カバーを下カバーに装着した状態を示す、第５図と同様部分の断面図である。第９図は、この上カバーを下カバーに装着した状態を示す、第７図のIX−IX線に沿う部分の断面図である。
【００１７】
以下の説明において、左右方向及び上下方向は、第２図における左右方向及び上下方向と合致する。また、前後方向は、第２図の紙面と直交方向と合致し、第２図の紙面の手前側を前側といい、奥側を後側又は裏側という。第７図は、上カバーを下カバー側から（即ち第２図における奥側から）見た図であり、第２図とは左右の向きが逆となっている。
【００１８】
この実施の形態では、成形品は、洋風便器（図示略）に設置される温水洗浄装置等のトイレ機器（図示略）を覆うための下カバー１である。この下カバー１は、該トイレ機器の洋風便器側に配置される。該トイレ機器の洋風便器と反対側には上カバー１０が配置され、これらのカバー１，１０によって該トイレ機器が覆われる。上カバー１０は、下カバー１に対しボルト２０（第９図）によって留め付けられる。この上カバー１０の下カバー１に対する係合構造については、後で詳しく述べる。
【００１９】
この下カバー１は、板状の主板部２と、該主板部２の側辺２ａ，２ｂからそれぞれ該主板部２の前面側へ立ち上がる側壁部３（３ａ，３ｂ）と、該主板部２に設けられた、前記ボルト２０が螺じ込まれる略円筒形状のボス部４と、該ボス部４中に埋設されたナット５（第３図）等を有している。該ナット５は、その雌ネジ孔（符号略）がボス部４の中心孔４ａと略同軸状に配置されている。
【００２０】
ボス部４は、その筒軸心線方向を主板部２の板面と略直交方向として、該主板部２の前面から前方へ突出状に設けられている。主板部２には、このボス部４を取り巻くように、略円弧状のスリット６が設けられている。このスリット６は、主板部２をその厚み方向に貫通している。このスリット６を横切って、該ボス部４と主板部２とを連結するブリッジ部７が設けられている。
【００２１】
第２図に示すように、この実施の形態では、ブリッジ部７は、第２図におけるボス部４の左右両側に設けられている。これらのブリッジ部７は、ボス部４の略中心を挟んで互いに反対方向へ略一直線状に延在している。これらのブリッジ部７により、スリット６は、ボス部４の上側を囲む部分と下側を囲む部分とに分断されている。以下、第２図におけるボス部４の左側のブリッジ部７を左側ブリッジ部７ａと呼び、ボス部４の右側のブリッジ部７を右側ブリッジ部７ｂと呼ぶことがある。また、スリット６のうち、第２図におけるボス部４の上側を取り囲む部分を上側スリット６ａと呼び、ボス部４の下側を取り囲む部分を下側スリット６ｂと呼ぶことがある。
【００２２】
この実施の形態では、ボス部４は、第２図における主板部２の左側の側辺２ａの近傍に配置されており、左側ブリッジ部７ａの左端は、該側辺２ａから立ち上がり且つ上下方向（即ちブリッジ部７ａ，７ｂの延在方向と交差方向）に延在した左側の側壁部３ａに連なっている。第１，２図の通り、上側スリット６ａ及び下側スリット６ｂの左端側は、それぞれ、側壁部３ａと左側ブリッジ部７ａとの交叉隅部又はその直近まで延在している。そのため、側壁部３ａのうち左側ブリッジ部７ａに対する上側及び下側の各直近部分（以下、ブリッジ部直近部分と呼ぶ。）３ｃ，３ｄの起立方向の基端部（以下、単に基端部と略す。）には実質的に主板部２が連なっていないか、又はこれらのブリッジ部直近部分３ｃ，３ｄの基端部に連なる主板部２の幅が他の部分に比べて狭くなっている。これにより、側壁部３ａのうち該ブリッジ部直近部分３ｃ，３ｄが他の部分に比べて低強度となっており、後述のようにボス部４を傾転させたときには、これらのブリッジ部直近部分３ｃ，３ｄが破断してボス部４が側壁部３ａから分離するようになっている。
【００２３】
この実施の形態では、左側ブリッジ部７ａには、その前面から前方へ張り出す張出部７ｃが設けられている。張出部７ｃの左端は側壁部３ａの右側面に連なり、張出部７ｃの右端はボス部４の外周面に連なっている。第４図に示すように、この張出部７ｃのブリッジ部７ａからの張り出し高さは、左側の側壁部３ａの主板部２からの起立高さと略同等となっており、この張出部７ｃの張り出し方向の先端側の面（前端面）は、側壁部３ａの起立方向の先端側の縁部（前端縁）と略面一状に連なっている。この張出部７ｃにより、左側ブリッジ部７ａは、主板部２に比べて厚みが大きなものとなっている。
【００２４】
また、この実施の形態では、ボス部４と右側の側壁部３ｂとの間の右側ブリッジ部７ｂ及び主板部２の前面から前方へ向ってリブ部７ｄが突設されている。このリブ部７ｄは、該右側ブリッジ部７ｂを通ってボス部４から側壁部３ｂまで該ボス部４の直径方向に連続して延在しており、左端は該ボス部４の外周面に連なり、右端は右側側壁部３ｂの左側面に連なっている。このリブ部７ｄにより、右側ブリッジ部７ａも、主板部２に比べて厚みが大きなものとなっている。
【００２５】
この実施の形態では、リブ部７ｄのうち右側ブリッジ部７ｂを横切る部分の該右側ブリッジ部７ｂからの突設高さは、該リブ部７ｄのそれ以外の部分の主板部２からの突設高さよりも低くなっている。以下、リブ部７ｄのうち、この右側ブリッジ部７ｂを横切る部分を低位部７ｅと称する。リブ部７ｄのうち該低位部７ｅ以外の部分の主板部２からの突設高さは、ボス部４及び右側側壁部３ｂの主板部２からの突出又は起立高さと略同等となっており、該低位部７ｅ以外のリブ部７ｄの前端縁は、ボス部４の前端面及び右側側壁部３ｂの前端縁と面一状に連なっている。該低位部７ｅのブリッジ部７ｂからの突設高さは、リブ部７ｄの該低位部７ｅ以外の部分の主板部２からの突設高さの５〜３０％、また、ブリッジ部は２〜５ｍｍ程度が好ましい。
【００２６】
このように、リブ部７ｄのうち右側ブリッジ部７ｂを横切る部分をそれ以外の部分よりも高さの低い低位部７ｅとすることにより、この低位部７ｅがリブ部７ｄの他の部分に比べて低強度となっており、後述のようにボス部４を傾転させたときには、この低位部７ｅ即ち右側ブリッジ部７ｂが破断して、ボス部４がその周囲の主板部２から分離するようになっている。
【００２７】
この下カバー１の端部には、洋風便器への固定部８が設けられている。この固定部８のボルト挿通孔８ａを介して下カバー１が洋風便器にボルト留めされる。
【００２８】
上記の主板部２、側壁部３ａ，３ｂ、ボス部４、ブリッジ部７ａ，７ｂ、張出部７ｃ、リブ部７ｄ及び固定部８は、ＡＢＳ、ＰＰ（ポリプロピレン）等の合成樹脂により一体に成形されている。前記ナット５は、金属製であり、インサート成形によりボス部４中に埋設されている。
【００２９】
即ち、この実施の形態では、下カバー１のうち、該ナット５が異材質部品であり、ボス部４が、該異材質部品を保持した保持部であり、主板部２及び側壁部３ａ，３ｂが該保持部の周囲の周囲部としての板状部である。
【００３０】
前記上カバー１０は、下カバー１の主板部２と対面する板状の主板部１１と、該主板部１１の側辺から立ち上がり、上カバー１０を下カバー１に装着したときに該下カバー１の側壁部３と係合する側壁部１２（１２ａ，１２ｂ）と、該主板部１１に設けられたボルト挿通孔１３等を有している。該ボルト挿通孔１３は、上カバー１０を下カバー１に装着したときに、前記ボス部４の中心孔４ａと略同心状に重なるように配置されている。
【００３１】
第７図に示すように、この実施の形態では、該上カバー１０の主板部１１の裏面（下カバー１との対向面）には、該上カバー１０を下カバー１に装着したときに該下カバー１の前記ボス部４に外嵌する略円筒形状の周壁部１４が設けられている。この周壁部１４は、ボルト挿通孔１３と略同軸状に配置され、その筒軸心線方向を主板部１１の板面と略直交方向として、該主板部１１の裏面から後方へ突出状に設けられている。この周壁部１４の主板部１１からの突出高さは、ボス部４の主板部２からの突出高さよりも大きく、上カバー１０を下カバー１に装着したときには、第９図のように、該周壁部１４がボス部４に外嵌すると共に、該周壁部１４の先端部がボス部４の周囲のスリット６（６ａ，６ｂ）に係合するようになっている。
【００３２】
なお、この実施の形態では、該周壁部１４の主板部１１からの突出高さは、第９図の通り、上カバー１０が下カバー１に装着され、該周壁部１４がスリット６に係合した状態において、該周壁部１４の最先端面が主板部２の裏面と略面一となるか、又は主板部２の裏面からスリット６内に若干後退した位置をとる程度とされている。
【００３３】
この周壁部１４の左右両サイドには、それぞれ、該周壁部１４内にボス部４が嵌合したときに各ブリッジ部７ａ，７ｂが係合するブリッジ部係合溝１４ａ，１４ｂが設けられている。これらのブリッジ部係合溝１４ａ，１４ｂは、それぞれ、周壁部１４の左右両サイドをその先端側から基端側に向って切り欠くようにして形成されており、いずれも該周壁部１４の先端側に開放している。左側ブリッジ部７ａが係合する左側ブリッジ部係合溝１４ａの深さは、該左側ブリッジ部７ａの裏面から張出部７ｃの前面までの高さと同等かそれよりも若干大きなものとなっている。また、右側ブリッジ部７ｂが係合する右側ブリッジ部係合溝１４ｂの深さは、該右側ブリッジ部７ｂの裏面からリブ部７ｄの最前端縁（低位部７ｅ以外の部分の前端縁）までの高さと同等かそれよりも若干大きなものとなっている。
【００３４】
第７図の通り、この周壁部１４の右側ブリッジ部係合溝１４ｂの上縁及び下縁から右側側壁部１２ｂまで、リブ部７ｄと略平行に、１対のリブ部保持片１５ａ，１５ｂが延設されている。これらのリブ部保持片１５ａ，１５ｂ同士の間隔は、該リブ部７ｄの厚みと同等かそれよりも若干大きなものとなっている。上カバー１０の装着時には、これらのリブ部保持片１５ａ，１５ｂ同士の間にリブ部７ｄが挟み込まれ、該リブ部７ｄの上面及び下面に各リブ部保持片１５ａ，１５ｂがそれぞれ重なる。各リブ部保持片１５ａ，１５ｂの主板部１１からの高さは、リブ部７ｄの主板部２からの高さと略同等となっており、上カバー１０の装着時には、第８図のように、該リブ部７ｄは、その基端部までリブ部保持片１５ａ，１５ｂ同士の間に挟み込まれる。
【００３５】
洋風便器に下カバー１が取り付けられ、この下カバー１の洋風便器と反対側に温水洗浄装置等のトイレ機器が設置され、このトイレ機器を洋風便器と反対側から覆うように上カバー１０が装着される。この際、下カバー１のボス部４に上カバー１０の周壁部１４が外嵌し、該周壁部１４の先端部がボス部４の周囲のスリット６ａ，６ｂに係合し、各ブリッジ部７ａ，７ｂが該周壁部１４の各ブリッジ部係合溝１４ａ，１４ｂに係合し、リブ部７ｄがリブ部保持片１５ａ，１５ｂ同士の間に挟み込まれる。その後、上カバー１０のボルト挿通孔１３を介してボス部４の中心孔４ａ（ナット５）にボス部２０を締め込み、上カバー１０を下カバー１に留め付ける。
【００３６】
この実施の形態では、各ブリッジ部７ａ，７ｂの前面側に張出部７ｃ又はリブ部７ｄを設けて各ブリッジ部７ａ，７ｂの厚みを主板部２の厚みよりも大きくしている。また、該張出部７ｃ及びリブ部７ｄは、それぞれ両端がボス部４及び左右の側壁部３ａ，３ｂに連なっている。これにより、該ボス部４と主板部２との連結強度が高いものとなっている。従って、該ボス部４、ブリッジ部７ａ，７ｂ及び側壁部３ａ，３ｂを介して上カバー１０を下カバー１の主板部２にしっかりと連結することができる。
【００３７】
また、この実施の形態では、上カバー１０が下カバー１に装着された状態にあっては、ボス部４に上カバー１０の周壁部１４が外嵌し、該周壁部１４の先端部がボス部４の周囲のスリット６ａ，６ｂに係合し、各ブリッジ部７ａ，７ｂが該周壁部１４の各ブリッジ部係合溝１４ａ，１４ｂに係合し、リブ部７ｄがリブ部保持片１５ａ，１５ｂ同士の間に挟み込まれているので、該ボス部４の傾転が阻止される。これにより、トイレ使用時の振動等によって各ブリッジ部７ａ，７ｂ及び側壁部３ａのブリッジ部直近部分３ｃ，３ｄが破断することが防止され、下カバー１の耐久性が高いものとなる。
【００３８】
この下カバー１が寿命などにより廃棄された後、この下カバー１の合成樹脂をリサイクルする場合には、異材質部品であるナット５を下カバー１から除去する。この場合、ボス部４を上下方向や左右方向に傾けるように、該ボス部４に対し傾転方向に力を加える。これにより、第６図のように、右側ブリッジ部７ｂ及び側壁部３ａのブリッジ部直近部分３ｃ，３ｄに応力が集中して該右側ブリッジ部７ｂ及びブリッジ部直近部分３ｃ，３ｄが破断し、ボス部４が主板部２から分離する。このようにして、ナット５を保持したボス部４を主板部２から分離することにより、該ナット５を下カバー１から除去することができる。
【００３９】
この下カバー１にあっては、ボス部４の全体が主板部２から分離するので、仮にナット５がボス部４の基端側にまで延在していても、ボス部４を主板部２から容易に分離することができる。
【００４０】
なお、上記の実施の形態は本発明の一例を示すものであり、本発明は上記の実施の形態に限定されない。
【００４１】
例えば、上記の実施の形態では、ボス部４の左右両側にブリッジ部７ａ，７ｂが設けられているが、ブリッジ部７の個数及び配置はこれに限定されない。例えば、図示は省略するが、ボス部４の周方向に間隔をあけて３個以上ブリッジ部７が設けられてもよい。あるいは、ボス部４が１個のブリッジ部７のみによって主板部２に連結されていてもよい。
【００４２】
上記の実施の形態では、ボス部４の左サイドにおいては、左側ブリッジ部７ａに連なる側壁部３ａのブリッジ部直近部分３ｃ，３ｄを破断させるようにしているが、該左側ブリッジ部７ａ自体を破断させるように構成してもよい。
【００４３】
上記の実施の形態は、洋風便器に設置される温水洗浄装置等のトイレ機器を覆うためのカバーへの本発明の適用例を示しているが、本発明は、これ以外の成形品にも適用可能である。
【符号の説明】
【００４４】
１  下カバー
２  主板部
３（３ａ，３ｂ）  側壁部
４  ボス部
５  ナット
６（６ａ，６ｂ）  スリット
７（７ａ，７ｂ）  ブリッジ部
１０  上カバー
１１  主板部
１２（１２ａ，１２ｂ）  側壁部
１３  ボルト挿通孔
１４  周壁部
１４ａ，１４ｂ  ブリッジ部係合溝
１５ａ，１５ｂ  リブ部保持片
【図１】
2010214870.tif 000003
【図２】
2010214870.tif 000004
【図３】
2010214870.tif 000005
【図４】
2010214870.tif 000006
【図５】
2010214870.tif 000007
【図６】
2010214870.tif 000008
【図７】
2010214870.tif 000009
【図８】
2010214870.tif 000010
【図９】
2010214870.tif 000011